(57)【要約】【課題】車両の室内から物品を受け取る受取人の利便性を向上させる。【解決手段】情報処理システムは、車両の室内に収容された受渡しを希望する物品の受渡物品情報を、物品の受渡人から取得する受渡物品情報取得手段と、物品の受取人に関する受取人情報を取得する受取人情報取得手段と、受渡物品情報及び受取人情報に基づいて、車両のドアを施解錠するための認証情報を生成し、受取人の端末に認証情報を送信する認証情報発行手段と、を備える。【選択図】図１４
2019121123.tif 000002
【特許請求の範囲】
【請求項１】
車両の室内に収容された受渡しを希望する物品の受渡物品情報を、前記物品の受渡人から取得する受渡物品情報取得手段と、
前記物品の受取人に関する受取人情報を取得する受取人情報取得手段と、
前記受渡物品情報及び前記受取人情報に基づいて、前記車両のドアを施解錠するための認証情報を発行し、前記受取人の端末に前記認証情報を送信する認証情報発行手段と、を備える、
情報処理システム。
【請求項２】
前記受渡物品情報取得手段が取得した複数の前記受渡物品情報を、ウェブサイトに物品一覧として掲載する受渡物品情報提供手段を、さらに備える、
請求項１に記載の情報処理システム。
【請求項３】
前記物品一覧から選択された物品の受取り要求を受付ける受取り要求受付手段をさらに備え、
前記受取人情報取得手段は、前記選択された物品の前記受取人に関する前記受取人情報を取得する、
請求項１または２に記載の情報処理システム。
【請求項４】
前記認証情報は、前記物品の利用形態に応じた前記認証情報の有効期間の情報を含む、
請求項１から３のいずれか一項に記載の情報処理システム。
【請求項５】
前記認証情報発行手段は、前記受取人の端末から、前記車両のドアが解錠又は施錠されたとの通知を受けた場合に、前記認証情報を失効させる、
請求項１から４のいずれか一項に記載の情報処理システム。
【請求項６】
前記受取人の端末から、前記車両のドアが解錠されたとの通知を受けた場合に、前記物品の利用に関して発生する費用を前記受取人に課金する課金管理手段を、さらに備える、
請求項１から５のいずれか一項に記載の情報処理システム。
【請求項７】
車両の室内に収容された受渡しを希望する物品の受渡物品情報を、前記物品の受渡人から取得する受渡物品情報取得部と、
前記物品の受取人に関する受取人情報を取得する受取人情報取得部と、
前記受渡物品情報及び前記受取人情報に基づいて、前記車両のドアを施解錠するための認証情報を生成し、前記受取人の端末に前記認証情報を送信する認証情報管理部と、を備える、
情報処理装置。
【請求項８】
コンピュータが、
車両の室内に収容された受渡しを希望する物品の受渡物品情報を、前記物品の受渡人から取得する受渡物品情報取得ステップと、
前記物品の受取人に関する受取人情報を取得する受取人情報取得ステップと、
前記受渡物品情報及び前記受取人情報に基づいて、前記車両のドアを施解錠するための認証情報を発行し、前記受取人の端末に前記認証情報を送信する認証情報管理ステップと、を実行する、
情報処理方法。
【請求項９】
コンピュータに、
車両の室内に収容された受渡しを希望する物品の受渡物品情報を、前記物品の受渡人か
ら取得する受渡物品情報取得ステップと、
前記物品の受取人に関する受取人情報を取得する受取人情報取得ステップと、
前記受渡物品情報及び前記受取人情報に基づいて、前記車両のドアを施解錠するための認証情報を発行し、前記受取人の端末に前記認証情報を送信する認証情報管理ステップと、を実行させる、
情報処理プログラム。
【請求項１０】
車両の室内に収容された物品の受渡しのために、受渡人が前記物品を収納した前記車両のドアの開閉を許可する電子認証情報を受取人の端末へ送信する車室内共用システム。
【請求項１１】
前記電子認証情報は日時または期間指定の制限付である、請求項１０に記載の車室内共用システム。
【発明の詳細な説明】
【技術分野】
【０００１】
本発明は、情報処理システム、情報処理装置、情報処理方法、情報処理プログラム、及び車室内共用システムに関する。
【背景技術】
【０００２】
受取人が配達先として指定した荷受用車両のトランクで、配達物の受け渡しを行う技術が提案されている（例えば、特許文献１を参照）。この技術によれば、受取人は、自身が所有する車両を配達先として指定することで、配達物を受け取るための宅配ロッカー等を設置することなく、不在時であっても配達物を受け取ることができる。
【先行技術文献】
【特許文献】
【０００３】
【特許文献１】特開２００６−２０６２２５号公報
【発明の概要】
【発明が解決しようとする課題】
【０００４】
しかしながら、宅配業者が荷物の配達を完了した後、配送先の車両を解錠して、トランク内に収容された配達物等の荷物を受け取ることができるのは、車両の鍵を持っている車の所有者である。このため、鍵を持たない家族は、荷物の受取人であっても、車両の鍵を持つ所有者に解錠をしてもらうまで、トランク内（車両の室内）の荷物を受け取れない場合がある。また、従来、配達物に限られず、車両の室内に収容された荷物を、車両の鍵を持つ者以外の第三者に簡便に受け渡す仕組みがなかった。
【０００５】
そこで、本発明は、車両の室内から物品を受け取る受取人の利便性を向上させることを目的とする。
【課題を解決するための手段】
【０００６】
本発明は、上記課題を解決するため、車両の室内に収容された物品の受渡物品情報を取得し、物品の受取人情報に基づいて、車両のドアを施解錠するための認証情報を受取人の端末に送信することにした。
【０００７】
詳細には、本発明は、情報処理システムであって、車両の室内に収容された受渡しを希望する物品の受渡物品情報を、物品の受渡人から取得する受渡物品情報取得手段と、物品の受取人に関する受取人情報を取得する受取人情報取得手段と、受渡物品情報及び受取人情報に基づいて、車両のドアを施解錠するための認証情報を発行し、受取人の端末に認証情報を送信する認証情報発行手段と、を備える。
【０００８】
車両の室内は、車両内の乗員が乗車するための空間（以下、車室ともいう）、または荷物を収容するための空間（以下、荷室ともいう）を含む。車両のドアは、車室に通じるドア及び荷室に通じるドアを含む。
【０００９】
上記の情報処理システムによれば、受渡人が貸出し又は譲渡を希望する物品の受渡物品情報を登録することで、物品の利用又は購入を希望する受取人は、物品が収容される車両のドアを施解錠するため認証情報を受取人の端末で受信し、受信した認証情報を使用して車両のドアを解錠し、車両から利用対象の物品を受け取ることができる。受渡物品情報は、例えば、受渡し対象の物品に関する利用代金等の情報、及び受渡し場所となる車両の情
報を含む。受取人情報は、例えば、認証情報の送信先となる受取人の連絡先、支払方法等の情報を含んでもよい。物品を利用したり、購入したりすることを希望する利用者（受取人）は、観光地や各種施設に隣接する駐車場等において所望の物品を受け取ることができるため、受取人の利便性を向上させることができる。
【００１０】
また、情報処理システムは、受渡物品情報取得手段が取得した複数の受渡物品情報を、ウェブサイトに物品一覧として掲載する受渡物品情報提供手段を、さらに備えるものであってもよい。このような情報処理システムであれば、受取人は、受取り場所等の受渡物品情報を参照して所望の物品を検索し、利用の申し込みをすることができる。
【００１１】
また、情報処理システムは、物品一覧から選択された物品の受取り要求を受付ける受取り要求受付手段をさらに備え、受取人情報取得手段は、選択された物品の受取人に関する受取人情報を取得するものであってもよい。このような情報処理システムであれば、受取人情報に基づいて、物品の受取人に対し、受渡し場所に指定された車両の認証情報を発行することができる。
【００１２】
また、前記認証情報は、前記物品の利用形態に応じた前記認証情報の有効期間の情報を含むものであってもよい。有効期間は、車両が解錠又は施錠されてからの時間、又は失効日時を示す期限であってもよい。このような認証情報であれば、物品の利用形態に応じて、車両を施解錠するための認証情報の有効期間が設定することができるため、セキュリティ面での安全性の向上を図ることができる。
【００１３】
また、認証情報発行手段は、受取人の端末から、車両のドアが解錠又は施錠されたとの通知を受けた場合に、認証情報を失効させるものであってもよい。認証情報は、例えば、認証情報を受信した受取人の端末等において削除されることにより失効する。このような認証情報発行手段であれば、受取人が物品を取り出したり、返却したりした後、適時に認証情報を失効させることができる。また、物品を譲渡する場合には、受取人が物品を受取るために解錠した場合に認証情報を失効させることで、認証情報の有効期間をより短く制限することができ、セキュリティ面での安全性の向上を図ることができる。
【００１４】
また、情報処理システムは、受取人の端末から、車両のドアが解錠されたとの通知を受けた場合に、物品の利用に関して発生する費用を受取人に課金する課金管理手段を、さらに備えるものであってもよい。このような情報処理システムであれば、受渡人は、課金処理の簡便化を図ることができる。
【００１５】
また、本発明は、情報処理装置の側面から捉えることもできる。例えば、本発明は、
車両の室内に収容された受渡しを希望する物品の受渡物品情報を、物品の受渡人から取得する受渡物品情報取得部と、物品の受取人に関する受取人情報を取得する受取人情報取得部と、受渡物品情報及び受取人情報に基づいて、車両のドアを施解錠するための認証情報を発行し、受取人の端末に認証情報を送信する認証情報管理部と、を備える、情報処理装置であってもよい。
【００１６】
また、本発明は、方法の側面から捉えることもできる。例えば、本発明は、コンピュータが、車両の室内に収容された受渡しを希望する物品の受渡物品情報を、物品の受渡人から取得する受渡物品情報取得ステップと、物品の受取人に関する受取人情報を取得する受取人情報取得ステップと、受渡物品情報及び受取人情報に基づいて、車両のドアを施解錠するための認証情報を発行し、受取人の端末に認証情報を送信する認証情報管理ステップと、を実行する、情報処理方法であってもよい。
【００１７】
また、本発明は、プログラムの側面から捉えることもできる。例えば、本発明は、コン
ピュータに、車両の室内に収容された受渡しを希望する物品の受渡物品情報を、物品の受渡人から取得する受渡物品情報取得ステップと、物品の受取人に関する受取人情報を取得する受取人情報取得ステップと、受渡物品情報及び受取人情報に基づいて、車両のドアを施解錠するための認証情報を発行し、受取人の端末に認証情報を送信する認証情報管理ステップと、を実行させる、情報処理プログラムであってもよい。
【００１８】
また、本発明は、車両の室内に収容された物品の受渡しのために、受渡人が前記物品を収納した前記車両のドアの開閉を許可する電子認証情報を受取人の端末へ送信する車室内共用システムであってもよい。
【００１９】
また、上述の車室内共用システムにおいて、電子認証情報は日時または期間指定の制限付であってもよい。
【発明の効果】
【００２０】
本発明によれば、車両の室内から物品を受け取る受取人の利便性を向上させることができる。
【図面の簡単な説明】
【００２１】
【図１】図１は、実施形態に係るトランクシェアシステムの概略構成を示す図である。
【図２】図２は、車載装置、受取人端末、受渡人端末、センタサーバ、受渡管理サーバの各ハードウェア構成を例示する図である。
【図３】図３は、受渡管理サーバの機能構成を例示する図である。
【図４】図４は、受渡物品情報テーブルの一例を示す図である。
【図５】図５は、受取り要求テーブルの一例を示す図である。
【図６】図６は、認証情報テーブルの一例を示す図である。
【図７】図７は、センタサーバの機能構成を例示する図である。
【図８】図８は、受渡人端末の機能構成を例示する図である。
【図９】図９は、受渡物品情報登録画面を例示する図である。
【図１０】図１０は、受取人端末の機能構成を例示する図である。
【図１１】図１１は、貸出し又は譲渡対象の物品を一覧表示する物品リスト画面を例示する図である。
【図１２】図１２は、利用登録画面を例示する図である。
【図１３】図１３は、認証情報管理画面を例示する図である。
【図１４】図１４は、実施形態に係るトランクシェアシステムの動作の流れを例示する図である。
【図１５】図１５は、受渡管理サーバの物品受渡し処理の流れを例示するフローチャートである。
【発明を実施するための形態】
【００２２】
以下、本願発明の実施形態について説明する。以下に示す実施形態は、本願発明の一態様を例示したものであり、本願発明の技術的範囲を以下の態様に限定するものではない。
【００２３】
＜システム構成＞
図１は、実施形態に係るトランクシェアシステムの概略構成を示す図である。トランクシェアシステム１は、受渡人が自身の占有する物品を、受渡人が指定した車両の室内を受渡し場所として、利用又は購入を希望する受取人に受け渡すためのシステムである。ここで、占有するとは、例えば、物品を所有すること、所有していないが、所有する者に代わって物品を管理すること、所有する者から物品を預かること等を含む。受渡人は、例えば、自身が所有する車両の室内を、レンタルショップ又は自動販売機のように用いて、第三
者に物品のレンタル又は販売等のサービスを提供することができる。トランクシェアシステム１は、「情報処理システム」及び「車室内共用システム」の一例である。
【００２４】
図１の例では、トランクシェアシステム１は、車両１０に設置される車載装置１０Ａ、受取人端末２００、受渡人端末２１０、センタサーバ４００、受渡管理サーバ４１０を含む。車載装置１０Ａ、受取人端末２００、受渡人端末２１０、センタサーバ４００、及び受渡管理サーバ４１０は、ネットワークＮ１によって相互に接続される。車載装置１０Ａは、近距離無線通信等を含むネットワークＮ２を介して、受取人端末２００又は受渡人端末２１０に接続される。
【００２５】
受渡管理サーバ４１０は、受渡人端末２１０から、受渡しの対象となる物品（以下、受渡し物品ともいう）の登録を受付ける。受渡人は、例えば、受渡人端末２１０にインストールされたトランクシェアシステム１によるサービスを利用するためのアプリケーション（以下、所定のアプリともいう）によって、受渡し物品に関する受渡物品情報を登録することができる。受渡物品情報は、受渡人の識別情報を含む。受渡人の識別情報は、センタサーバ４００又は受渡管理サーバ４１０において、受渡人が占有する車両１０と予め対応付けられている。受渡管理サーバ４１０は、受渡人端末２１０から登録された受渡し物品のリストを、ウェブサイトに掲載することにより、貸出し又は譲渡可能な受渡し物品のリストを提供する。受渡し物品のリストを参照し、受渡し物品の利用又は購入を希望する受取人は、受取人端末２００から利用の申込みをする。受取人は、例えば、受取人端末２００にインストールされた所定のアプリによって、受渡し物品の利用の申込みに関する情報を登録することができる。
【００２６】
受渡管理サーバ４１０は、受取人端末２００から受渡し物品の利用の申込みを受付けると、受渡人端末２１０から受信した受渡物品情報に基づいて、利用の申込みがあった受渡し物品を収容する車両１０を解錠するための認証情報を受取人端末２００に送信するようにセンタサーバ４００に要求する。センタサーバ４００は、受渡物品情報に含まれる受渡人の識別情報に基づいて、受渡人の識別情報に対応付けられた車両１０の認証情報を受取人端末２００に送信する。受取人は、受取人端末２００で受信した認証情報を使用して車両１０を施解錠し、利用の申込みをした受渡し物品を受け取ることができる。なお、認証情報は、センタサーバ４００から受渡管理サーバ４１０に送信され、受渡管理サーバ４１０から受取人端末２００に送信されてもよい。ここで、認証情報は、受取人端末２００から車載装置１０Ａに転送され、車載装置１０Ａによる認証を受けることで、車載装置１０Ａに車両１０の施解錠処理を実行させるデジタル情報である。また、車両１０の施解錠とは、受渡し物品を収容する車両１０のドアを施解錠することである。認証情報は、「電子認証情報」の一例である。
【００２７】
＜ハードウェア構成＞
図２は、車載装置、受取人端末、受渡人端末、センタサーバ、受渡管理サーバの各ハードウェア構成を例示する図である。本実施形態では、車載装置１０Ａが有するキーユニット１００を介して施解錠を行う車両１０に対し、本発明を適用した場合について説明する。キーユニット１００は、スマートキーの電子キー（以下、携帯機）と同様の無線インターフェースを有しており、車載装置１０Ａが有する既設の施解錠装置３００と通信を行うことで、物理的な鍵を用いることなく車両１０の施解錠を行うことができる。また、キーユニット１００は、受取人端末２００又は受渡人端末２１０等の携帯端末（以下、受取人端末２００等）と近距離無線通信を行い、受取人端末２００等を認証した結果に基づいて、自身が車両１０の電子キーとして振る舞うか否かを決定する。
【００２８】
受取人端末２００等から、キーユニット１００に送信される認証情報は、キーユニット１００に予め記憶された認証情報と照合される。認証が成功すると、受取人端末２００等
は認証される。受取人端末２００等が認証されると、キーユニット１００は、キーユニット１００に予め記憶され、認証情報と対応付けられた車両１０のキーＩＤ（電子キーのＩＤ）を、施解錠信号とともに施解錠装置３００に送信する。施解錠装置３００は、キーユニット１００から受信したキーＩＤが、施解錠装置３００に予め格納されるキーＩＤと一致する場合に車両１０を施解錠する。なお、キーユニット１００に予め記憶されるキーＩＤは、認証情報によって暗号化されたものであってもよい。この場合、キーユニット１００は、受取人端末２００等の認証が成功すると、キーＩＤを認証情報によって復号してから施解錠装置３００に送信すればよい。
【００２９】
車両１０の占有者である受渡人の受渡人端末２１０は、キーユニット１００から認証を受けることができるマスター認証情報を記憶しており、受渡人は車両１０を任意のタイミングで施解錠することができる。本実施形態では、マスター認証情報には、有効期限の設定がなされない。一方、受取人端末２００は、物品の受取り又は返却の際に、車両１０の施解錠をするための認証情報を、センタサーバ４００又は受渡管理サーバ４１０から受信する。受取人端末２００は、受信した認証情報をキーユニット１００に送信し、キーユニット１００による受取人端末２００の認証が成功すると、キーユニット１００は、キーユニット１００に予め記憶された車両１０のキーＩＤを、施解錠装置３００に送信する。施解錠装置３００は、キーユニット１００から受信したキーＩＤが、施解錠装置３００に予め格納されるキーＩＤと一致する場合に車両１０を施解錠する。なお、キーユニット１００及び施解錠装置３００は、車両１０に搭載されるバッテリから供給される電力で動作する。
【００３０】
施解錠装置３００は、車両１０のドアを施錠及び解錠するための装置であり、スマートキーシステムの一部を構成する既設の装置である。具体的には、車両１０のユーザが所持する携帯機から、高周波（Radio Frequency，以下、ＲＦと称する）帯の電波を介して送
信される施錠信号及び解錠信号に応じて、車両１０のドアを施錠及び解錠する。また、携帯機を検索するための、低周波（Low Frequency，以下、ＬＦと称する）帯の電波を送信
する機能を有している。
【００３１】
本実施形態では、ユーザが所持する携帯機の代わりに、キーユニット１００が施解錠装置３００との間でＲＦ帯及びＬＦ帯の電波を送受信することで、車両１０のドアの施解錠を制御する。以降、断りがない限り、施解錠装置３００の通信先をキーユニット１００に限定して説明を行う。
【００３２】
施解錠装置３００は、ＬＦ送信機３０１、ＲＦ受信機３０２、照合ＥＣＵ３０３、ボディＥＣＵ３０４、ドアロックモータ３０５を含んで構成される。ＬＦ送信機３０１は、キーユニット１００を検索（ポーリング）するための低周波数帯（例えば、１００ＫＨｚ〜３００ＫＨｚ）の電波を送信する手段である。ＬＦ送信機３０１は、例えば、車室内のセンターコンソールやハンドルの近傍に内蔵される。ＲＦ受信機３０２は、キーユニット１００から送信された高周波数帯（例えば、１００ＭＨｚ〜１ＧＨｚ）の電波を受信する手段である。ＲＦ受信機３０２は、車室内のいずれかの場所に内蔵される。
【００３３】
照合ＥＣＵ３０３は、キーユニット１００からＲＦ帯の電波を介して送信された信号（施錠信号又は解錠信号）に基づいて、車両１０のドアを施錠及び解錠する制御を行うコンピュータである。照合ＥＣＵ３０３は、例えば、マイクロコンピュータによって構成される。なお、以下の説明において、施錠信号と解錠信号を施解錠信号と総称する。施解錠信号という用語は、施錠信号と解錠信号の少なくともいずれかを表す。
【００３４】
照合ＥＣＵ３０３は、キーユニット１００から送信された施解錠信号が、正当な装置から送信されたものであることを認証する。具体的には、施解錠信号に含まれるキーＩＤが
、照合ＥＣＵ３０３が有する記憶部に予め記憶されたキーＩＤと一致するか否かを判定する。そして、照合ＥＣＵ３０３は、この認証の結果に基づいて、ボディＥＣＵ３０４に解錠指令又は施錠指令を送信する。この解錠指令又は施錠指令は、ＣＡＮ（Controller Area Network）等の車内ネットワークを介して送信される。
【００３５】
ボディＥＣＵ３０４は、車両１０のボディ制御を行うコンピュータである。ボディＥＣＵ３０４は、照合ＥＣＵ３０３から受信した解錠指令又は施錠指令に基づいてドアロックモータ３０５を制御することで、車両１０のドアの解錠及び施錠を行う機能を有している。ドアロックモータ３０５は、車両１０のドア（乗降用ドアやリアゲートのほか、トランクも含む）を施錠及び解錠するアクチュエータである。ドアロックモータ３０５は、ボディＥＣＵ３０４から送信された信号に基づいて動作する。なお、照合ＥＣＵ３０３とボディＥＣＵ３０４とは一体のものであってもよい。
【００３６】
次に、キーユニット１００について説明する。キーユニット１００は、車両１０の車室内の所定の位置（例えばグローブボックス内）に配置された装置である。キーユニット１００は、受取人端末２００等と近距離無線通信を行って該受取人端末２００等を認証する機能と、この認証結果に基づいて、ＲＦ帯の電波を用いて施解錠信号を送信する機能を有している。キーユニット１００は、ＬＦ受信機１０１、ＲＦ送信機１０２、近距離通信部１０３、制御部１０４を有して構成される。
【００３７】
ＬＦ受信機１０１は、施解錠装置３００から、ＬＦ帯の電波を介して送信されたポーリング信号を受信する手段である。ＬＦ受信機１０１は、ＬＦ帯の電波を受信するためのアンテナ（以下、ＬＦアンテナ）を有している。ＲＦ送信機１０２は、ＲＦ帯の電波を介して、キーユニット１００に対して施解錠信号を送信する手段である。
【００３８】
近距離通信部１０３は、受取人等のユーザが所持する受取人端末２００等と通信を行う手段である。近距離通信部１０３は、所定の無線通信規格を用いて、近距離（車室内と車室外で通信が行える程度）における通信を行う。
【００３９】
本実施形態では、近距離通信部１０３は、Ｂｌｕｅｔｏｏｔｈ（登録商標）ＬｏｗＥｎｅｒｇｙ規格（以下、ＢＬＥ）によるデータ通信を行う。ＢＬＥとは、Ｂｌｕｅｔｏｏｔｈによる低電力通信規格であり、機器同士のペアリングを必要とせず、相手を検知することですぐに通信を開始できるという特徴を有する。なお、本実施形態ではＢＬＥを例示するが、他の無線通信規格も利用可能である。例えば、ＮＦＣ（Near Field Communication）、ＵＷＢ（Ultra Wideband）、ＷｉＦｉ（登録商標）などを利用することもできる。
【００４０】
制御部１０４は、近距離通信部１０３を介して受取人端末２００と近距離無線通信を行い、受取人端末２００等を認証する制御と、認証結果に基づいて施解錠信号を送信する制御を行うコンピュータである。制御部１０４は、例えば、マイクロコンピュータによって構成される。
【００４１】
制御部１０４は、記憶部１０４１及び認証部１０４２を有している。記憶部１０４１には、キーユニット１００を制御するための制御プログラムが記憶されている。制御部１０４は、記憶部１０４１に記憶されている制御プログラムをＣＰＵ（不図示）によって実行することで、認証部１０４２を含む種々の機能を実現してもよい。例えば、制御部１０４は、施解錠装置３００からＬＦ帯の電波として送信されたポーリング信号をＬＦ受信機１０１を介して受信する機能、施解錠装置３００にＲＦ帯の電波として施解錠信号をＲＦ送信機１０２を介して送信する機能、近距離通信部１０３を介して行う受取人端末２００等との通信を処理する機能、認証部１０４２による受取人端末２００等の認証が成功した場合に施解錠信号を生成する機能等を実現する。
【００４２】
認証部１０４２は、受取人端末２００等から送信された施錠要求又は解錠要求（以下、施解錠要求と総称する）に含まれる認証情報に基づいて、受取人端末２００等の認証を行う。具体的には、記憶部１０４１に記憶された認証情報と、受取人端末２００等から送信された認証情報とを比較し、これらが所定の関係にある場合に、認証成功と判断する。双方の認証情報が一致しない場合、認証失敗と判断する。ここで、所定の関係とは、記憶部１０４１に記憶された認証情報と、受取人端末２００等から送信された認証情報とが一致する場合のほか、２つの認証情報を用いた所定の暗号化・複合化等の処理結果が一致する場合、２つの認証情報の一方に復号処理を行った結果が他方に一致する場合等を含む。
【００４３】
認証部１０４２が受取人端末２００等の認証に成功した場合、受取人端末２００等から受信した要求に応じて生成された施解錠信号がＲＦ送信機１０２を介して施解錠装置３００へ送信される。なお、認証部１０４２が行う認証の方式は、認証情報同士を単純に比較して同一性を検証する方式であってもよいし、非対称暗号を用いた方式であってもよい。以降、説明の必要に応じて、キーユニット１００に記憶される認証情報を装置認証情報、受取人端末２００等から送信される認証情報を端末認証情報と称するものとする。
【００４４】
また、キーユニット１００は、施解錠信号とともに、電子キーのＩＤ（キーＩＤ）を施解錠装置３００に送信する。キーＩＤは、平文の状態で予めキーユニット１００に記憶されていてもよいし、受取人端末２００等に固有な暗号によって暗号化した状態で記憶されていてもよい。キーＩＤが暗号化した状態で記憶される場合、受取人端末２００等から送信された認証情報によって暗号化されたキーＩＤを復号し、本来のキーＩＤを得るようにしてもよい。
【００４５】
受渡管理サーバ４１０は、一般的なコンピュータの構成を有している。受渡管理サーバ４１０は、プロセッサ４１１、主記憶部４１２、補助記憶部４１３、通信部４１４を有する。これらは、互いにバスによって接続される。主記憶部４１２及び補助記憶部４１３は、コンピュータ読み取り可能な記録媒体である。コンピュータのハードウェア構成は、図２に示される例に限らず、適宜構成要素の省略、置換、追加が行われてもよい。
【００４６】
受渡管理サーバ４１０は、プロセッサ４１１が記録媒体に記憶されたプログラムを主記憶部４１２の作業領域にロードして実行し、プログラムの実行を通じて各構成部等が制御されることによって、所定の目的に合致した機能を実現することができる。
【００４７】
プロセッサ４１１は、例えば、ＣＰＵ（Central Processing Unit）やＤＳＰ（Digital
Signal Processor）である。プロセッサ４１１は、受渡管理サーバ４１０を制御し、様
々な情報処理の演算を行う。主記憶部４１２は、例えば、ＲＡＭ（Random Access Memory）やＲＯＭ（Read Only Memory）を含む。補助記憶部４１３は、例えば、ＥＰＲＯＭ（Erasable Programmable ROM）、ハードディスクドライブ（ＨＤＤ、Hard Disk Drive）である。また、補助記憶部４１３は、リムーバブルメディア、即ち可搬記録媒体を含むことができる。リムーバブルメディアは、例えば、ＵＳＢ（Universal Serial Bus）メモリ、あるいは、ＣＤ（Compact Disc）やＤＶＤ（Digital Versatile Disc）のようなディスク記録媒体である。
【００４８】
補助記憶部４１３は、各種のプログラム、各種のデータ及び各種のテーブルを読み書き自在に記録媒体に格納する。補助記憶部４１３には、オペレーティングシステム（Operating System :ＯＳ）、各種プログラム、各種テーブル等が格納される。補助記憶部４１３に格納される情報は、主記憶部４１２に格納されてもよい。また、主記憶部４１２に格納される情報は、補助記憶部４１３に格納されてもよい。
【００４９】
通信部４１４は、他の装置と接続し、受渡管理サーバ４１０と他の装置との間の通信を制御する。通信部４１４は、例えば、ＬＡＮ（Local Area Network）インターフェースボード、無線通信のための無線通信回路である。ＬＡＮインターフェースボードや無線通信回路は、公衆通信網であるインターネット等のネットワークＮ１に接続される。
【００５０】
受渡管理サーバ４１０で実行される一連の処理は、ハードウェアにより実行させることもできるが、ソフトウェアにより実行させることもできる。
【００５１】
センタサーバ４００は、受渡管理サーバ４１０と同様に、プロセッサ４０１、主記憶部４０２、補助記憶部４０３、通信部４０４を有する。プロセッサ４０１、主記憶部４０２、補助記憶部４０３、通信部４０４は、受渡管理サーバ４１０のプロセッサ４１１、主記憶部４１２、補助記憶部４１３、通信部４１４と同様であるため、説明は省略される。
【００５２】
受取人端末２００及び受渡人端末２１０は、例えば、スマートフォン、携帯電話、タブレット端末、個人情報端末、ウェアラブルコンピュータ（スマートウォッチ等）といった小型のコンピュータである。なお、受渡人端末２１０は、公衆通信網であるインターネット等のネットワークＮ１を介して受渡管理サーバ４１０に接続される、パーソナルコンピュータ（Ｐｅｒｓｏｎａｌ  Ｃｏｍｐｕｔｅｒ、ＰＣ）であってもよい。
【００５３】
受渡人端末２１０は、プロセッサ２１１、主記憶部２１２、補助記憶部２１３、表示部２１４、入力部２１５、通信部２１６Ａ、通信部２１６Ｂ、近距離通信部２１６Ｃを有する。プロセッサ２１１、主記憶部２１２、補助記憶部２１３については、受渡管理サーバ４１０のプロセッサ４１１、主記憶部４１２、補助記憶部４１３と同様であるため、説明は省略される。表示部２１４は、例えば、ＬＣＤ（Liquid Crystal Display）、ＥＬ（Electroluminescence）パネル等である。入力部２１５は、タッチパネル、押しボタン等を
含む。また、入力部２１５は、カメラのような映像や画像の入力部や、マイクロフォンのような音声の入力部を含むことができる。通信部２１６Ａは、例えば、基地局を末端とする携帯電網等を通じてインターネットにアクセスするための通信回路である。通信部２１６Ｂは、例えば、無線又は有線のＬＡＮ等を通してインターネットにアクセスし、受渡管理サーバ４１０等とデータ通信をするための通信回路である。近距離通信部２１６Ｃは、所定の通信規格に従い、近距離通信をするための通信回路である。所定の通信規格は、例えば、ＢＬＥ、ＮＦＣ等である。
【００５４】
受取人端末２００は、受渡人端末２１０と同様に、プロセッサ２０１、主記憶部２０２、補助記憶部２０３、表示部２０４、入力部２０５、通信部２０６Ａ、通信部２０６Ｂ、近距離通信部２０６Ｃを有する。プロセッサ２０１、主記憶部２０２、補助記憶部２０３、表示部２０４、入力部２０５は、受渡人端末２１０のプロセッサ２１１、主記憶部２１２、補助記憶部２１３、表示部２１４、入力部２１５と同様であるため、説明は省略される。通信部２０６Ａは、例えば、基地局を末端とする携帯電網等を通じてインターネットにアクセスするための通信回路である。通信部２０６Ｂは、例えば、例えば、ＷｉＦｉ等の無線ＬＡＮ等を通してインターネットにアクセスするための無線通信回路である。受取人端末２００は、通信部２０６Ｂを通じて、受渡管理サーバ４１０又はセンタサーバ４００等とデータ通信をすることができる。近距離通信部２０６Ｃは、所定の通信規格に従い、比較的近距離での車両１０との間の通信を制御する。所定の通信規格は、例えば、ＢＬＥ、ＮＦＣ等である。
【００５５】
ネットワークＮ１は、例えば、インターネット等の世界規模の公衆通信網でありＷＡＮ（Ｗｉｄｅ  Ａｒｅａ  Ｎｅｔｗｏｒｋ）やその他の通信網が採用されてもよい。また、ネットワークＮ１は、携帯電話等の電話通信網、ＷｉＦｉ等の無線通信網を含んでもよい。受取人端末２００及び受渡人端末２１０は、携帯電話等の電話通信網、又はＷｉＦｉ等
の無線通信を通じてインターネットにアクセス可能である。ネットワークＮ２は、受取人端末２００及び受渡人端末２１０が車載装置１０Ａと通信するＢＬＥ等のための通信網を含む。受取人端末２００及び受渡人端末２１０は、ＢＬＥ通信により車載装置１０Ａと通信することが可能である。
【００５６】
＜受渡管理サーバの機能構成＞
図３は、受渡管理サーバの機能構成を例示する図である。受渡管理サーバ４１０は、機能構成要素として、受渡物品情報取得部Ｆ１１、受渡物品情報提供部Ｆ１２、受取り要求受付部Ｆ１３、受取人情報取得部Ｆ１４、認証情報発行部Ｆ１５、課金管理部Ｆ１６、受渡物品情報データベースＤ１１、受取り要求データベースＤ１２、認証情報データベースＤ１３を備える。受渡管理サーバ４１０のプロセッサ４１１は、主記憶部４１２上のコンピュータプログラムにより、受渡物品情報取得部Ｆ１１、受渡物品情報提供部Ｆ１２、受取り要求受付部Ｆ１３、受取人情報取得部Ｆ１４、認証情報発行部Ｆ１５、課金管理部Ｆ１６の処理を実行する。ただし、各機能構成素のいずれか、又はその処理の一部がハードウェア回路により実行されてもよい。
【００５７】
受渡物品情報データベースＤ１１、受取り要求データベースＤ１２、認証情報データベースＤ１３は、プロセッサ４１１によって実行されるデータベース管理システム（Ｄａｔａｂａｓｅ  Ｍａｎａｇｅｍｅｎｔ  Ｓｙｓｔｅｍ、ＤＢＭＳ）のプログラムが、補助記憶部４１３に記憶されるデータを管理することで構築される。受渡物品情報データベースＤ１１、受取り要求データベースＤ１２、認証情報データベースＤ１３は、例えば、リレーショナルデータベースである。
【００５８】
なお、受渡管理サーバ４１０の各機能構成素のいずれか、又はその処理の一部は、センタサーバ４００、又はネットワークＮ１に接続される他のコンピュータにより実行されてもよい。
【００５９】
受渡物品情報取得部Ｆ１１は、物品を貸出し又は譲渡しようとする受渡人に関する受渡物品情報の登録を受付ける。受渡物品情報は、物品の受渡し場所として使用される車両１０と対応づけられた受渡人の識別情報を含む。車両１０と受渡人の識別情報とは、予め、認証情報データベースＤ１３、又はセンタサーバ４００において対応づけられる。また、受渡物品情報取得部Ｆ１１は、受渡人から、貸出し又は譲渡の対象となる物品の登録を受付ける。受渡物品情報取得部Ｆ１１は、受渡人が受渡人端末２１０に入力した受渡人及び物品の情報を、ネットワークＮ１を通じて受渡人端末２１０から受信する。受渡物品情報取得部Ｆ１１は、受信した情報を、受渡物品情報データベースＤ１１に登録する。受渡物品情報取得部Ｆ１１は、「受渡物品情報取得手段」の一例である。
【００６０】
受渡物品情報提供部Ｆ１２は、受渡人端末２１０から受信した物品の情報を、物品の利用又は購入を希望する受取人に提供する。受渡物品情報提供部Ｆ１２は、例えば、受渡管理サーバ４１０によって提供されるウェブサイトに受渡人が登録した物品の一覧（以下、物品リストともいう）を掲載する。受取人は、受取人端末２００からウェブサイトにアクセスし、物品リストを参照することができる。受渡物品情報提供部Ｆ１２は、「受渡物品情報提供手段」の一例である。物品リストは、「物品一覧」の一例である。
【００６１】
受取り要求受付部Ｆ１３は、受取人から物品の利用又は購入の要求を受付ける。受取り要求受付部Ｆ１３は、受取人が利用を希望する物品の識別情報、利用期間、支払方法を含む受取り要求に関する情報を、受取人端末２００から受信する。受取り要求受付部Ｆ１３は、受信した情報を、受取人の識別情報と対応づけて受取り要求データベースＤ１２に登録する。受取り要求受付部Ｆ１３は、「受取り要求受付手段」の一例である。
【００６２】
受取人情報取得部Ｆ１４は、受取人に関する情報を取得する。受取人に関する情報は、認証情報の送信先となる連絡先等の情報を含む。受取人情報取得部Ｆ１４は、受取人が受取人端末２００に入力した受取人に関する情報を、受取人端末２００から受信する。受取人に関する情報は、物品の受取り要求に関する情報とともに、受取人端末２００から入力されるようにしてもよい。受取人情報取得部Ｆ１４は、「受取人情報取得手段」の一例である。
【００６３】
認証情報発行部Ｆ１５は、受取り要求受付部Ｆ１３が受取人端末２００から受取り要求を受信すると、受取り要求の対象である物品が収容された車両１０のキーユニット１００に記憶される認証情報（装置認証情報）に対応する認証情報（端末認証情報）を、受取り要求の送信元である受取人端末２００に送信するように、センタサーバ４００に要求する。認証情報発行部Ｆ１５が、受渡人の識別情報をセンタサーバ４００に通知することで、センタサーバ４００は、当該受渡人の識別情報と対応づけられた端末認証情報を受取人端末２００に送信することができる。なお、認証情報発行部Ｆ１５は、受取り要求の対象である物品が収容された車両１０の認証情報を、センタサーバ４００から取得し、受渡管理サーバ４１０から、受取り要求を送信した受取人端末２００に、取得した認証情報を送信するようにしてもよい。また、認証情報発行部Ｆ１５は、受取人情報取得部Ｆ１４によって取得された受取人に関する情報を参照し、受取り要求が、所定のアプリから利用登録された受取人の受取人端末２００からの要求であるか否かを認証するようにしてもよい。認証情報発行部Ｆ１５は、「認証情報発行手段」の一例である。
【００６４】
認証情報発行部Ｆ１５は、センタサーバ４００から受取人端末２００に送信された認証情報を取得し、認証情報データベースＤ１３に格納するようにしてもよい。また、認証情報発行部Ｆ１５は、センタサーバ４００から、認証情報とともに、車両１０の車種、色、車両番号等の情報を取得するようにしてもよい。
【００６５】
課金管理部Ｆ１６は、受取人が利用又は購入の申込みをした物品を受取るために、当該物品を収容する車両１０を、受取人端末２００に送信された認証情報を使用して解錠した場合、受取人に対して物品の利用代金を課金する。課金管理部Ｆ１６は、受取人情報取得部Ｆ１４が取得した受取人による支払方法に応じて、受取人に利用代金の課金をすることができる。例えば、支払方法としてクレジットカードによる決済が指定されている場合、課金管理部Ｆ１６は、クレジットカード番号、購入代金等の情報をカード会社に送信し、決済処理を依頼する。また、支払方法として、携帯料金とともに引き落とされるキャリア決済が指定されている場合、利用代金は、通信キャリアに決済処理が依頼され、携帯料金とともに支払われる。課金管理部Ｆ１６は、「課金管理手段」の一例である。
【００６６】
受渡物品情報データベースＤ１１は、受渡人に関する情報及び受渡しの対象となる物品の情報を格納するデータベースである。受渡物品情報データベースＤ１１は、図４に示す受渡物品情報テーブルを有する。図４に示す受渡物品情報テーブルに格納される情報は、図４に示す例に限られず、適宜フィールドの追加、変更、削除が可能である。また、受渡人に関する情報と物品の情報とが個別のテーブルで管理されるようにしてもよい。
【００６７】
図４は、受渡物品情報テーブルの一例を示す図である。受渡物品情報テーブルは、受渡し人が貸出し又は譲渡しようとする物品の情報を格納し、物品リストを提供するために用いられる。図４において、受渡物品情報テーブルに格納されるレコード１件は、貸出し又は譲渡対象として受渡人が登録した１件の物品の情報を格納する。
【００６８】
受渡物品情報テーブルのレコードは、受渡人ＩＤ、連絡先、車両番号、車種、色、位置情報、物品ＩＤ、物品、金額、利用形態、利用期限のフィールドを有する。受渡人ＩＤは、受渡人を識別するＩＤである。受渡人ＩＤは、受渡人を識別するＩＤである。受渡人Ｉ
Ｄは、センタサーバ４００において、車両１０の認証情報と予め対応付けられている。連絡先は、受渡人の連絡先である。連絡先は、例えば、受渡人の携帯番号又は電子メールアドレスであり、認証情報の送信先として使用可能である。車両番号、車種、色は、受取人が受渡し場所となる車両１０を特定するための情報であり、車両１０の車両番号、車種、色である。位置情報は、車両１０の所在地であり、受渡人によって登録される住所等であってもよい。また、位置情報は、車載装置１０Ａが備えるＧＰＳ装置（図示なし）によって、ＧＰＳ衛星からの信号を受信して算出される位置情報であってもよい。
【００６９】
物品ＩＤは、受渡人が登録した物品を識別するＩＤである。物品ＩＤは、例えば、物品の情報の登録を受付けた際、受渡物品情報取得部Ｆ１１によって設定される。物品は、貸出し又は譲渡対象の物品の名称である。金額は、貸出し又は譲渡対象の物品を利用するために受取人が支払う代金の金額である。利用形態は、物品が貸出し用（一時貸出し、長期貸出し等）であるか譲渡用であるかの区分である。利用期限は、物品の貸出し又は譲渡可能な期限であり、受渡人によって設定される。
【００７０】
図３の受取り要求データベースＤ１２は、受取り要求の情報及び受取人に関する情報を格納するデータベースである。受取り要求データベースＤ１２は、図５に示す受取り要求テーブルを有する。図５に示す受取り要求テーブルに格納される情報は、図５に示す例に限られず、適宜フィールドの追加、変更、削除が可能である。また、受取り要求の情報と受取人に関する情報とは、受取人を識別する情報によって対応づけることにより、個別のテーブルで管理されるようにしてもよい。
【００７１】
図５は、受取り要求テーブルの一例を示す図である。受取り要求テーブルは、受取人からの受取り要求の情報を格納し、受取り要求に応じてセンタサーバ４００に認証情報の送信を依頼したり、受渡人に物品の利用状況を通知するために用いられる。図５において、受取り要求テーブルに格納されるレコード１件は、受取人が物品リストから選択した１件の物品を利用するための情報を格納する。
【００７２】
受取り要求テーブルのレコードは、受取人ＩＤ、受取人氏名、連絡先、受取物品ＩＤ、貸出期間、支払方法、カード番号のフィールドを有する。受取人ＩＤは、トランクシェアシステム１によるサービスを受けるために、物品の受取り要求をした受取人を識別するＩＤである。受取人ＩＤは、受取人を登録する際に受取人によって指定されたＩＤであってもよく、受取人に関する情報の登録を受付けた際、受取り要求受付部Ｆ１３によって設定されるＩＤであってもよい。受取人氏名は、物品の受取り要求をした受取人の氏名である。連絡先は、認証情報の送信先であり、例えば、受取人端末２００の携帯番号又はメールアドレスが格納される。受取物品ＩＤは、受取人が利用又は購入の申込みをした物品を識別するＩＤであって、受渡人が物品を登録する際に設定される物品ＩＤである。貸出期間は、利用形態が貸出しの場合に、受取人が利用を希望する期間である。支払方法は、受取人が物品の利用代金を支払う方法であり、クレジットカードによる決済が例示される。カード番号は、支払方法がクレジットカード決済である場合に、代金の支払をするクレジットカードの番号である。受取り要求テーブルは、受取った物品に対する決済依頼の有無、決済完了有無等の決済状況を管理するフィールドを含み、課金管理部Ｆ１６によって決済状況に関するフィールドを更新するようにしてもよい。
【００７３】
図３の認証情報データベースＤ１３は、物品の受渡し場所として指定された車両１０の鍵情報を格納するデータベースである。認証情報データベースＤ１３は、図６に示す認証情報テーブルを有する。図６に示す鍵情報テーブルに格納される情報は、図６に示す例に限られず、適宜フィールドの追加、変更、削除が可能である。
【００７４】
図６は、認証情報テーブルの一例を示す図である。認証情報テーブルは、受渡管理サー
バ４１０から受取人端末２００に対して認証情報を発行する場合に使用される。認証情報テーブルは、受取人から物品の受取り要求受付けた場合に、センタサーバ４００から取得した認証情報に関する情報を格納するために用いられる。図６において、認証情報テーブルに格納されるレコード１件は、受取人が物品リストから選択した１件の物品の受取り要求に対して発行される認証情報を格納する。なお、図６の例において、認証情報は、物品ごとに管理されるが、同一の車両１０に収容される複数の物品を受渡す場合、車両１０ごとに認証情報が管理されるようにしてもよい。
【００７５】
認証情報テーブルのレコードは、受取物品ＩＤ、受取人ＩＤ、認証情報、有効期間のフィールドを有する。受取物品ＩＤは、受取人が貸出し又は購買の要求をした物品を識別する物品ＩＤである。受取人ＩＤは、受取物品ＩＤで識別される物品を受け取る受取人のＩＤである。認証情報は、受渡し対象の物品が収容された車両１０を解錠するための認証情報である。認証情報フィールドには、センタサーバ４００から取得した認証情報が格納される。
【００７６】
有効期間は、認証情報の有効期間であり、物品の利用形態に応じて設定されるようにしてもよい。例えば、有効期間は、利用形態が貸出しの場合は１日、譲渡の場合は３０分のように設定することができる。また、有効期間は、受渡管理サーバ４１０が受取り要求を受信した日時に応じて、認証情報の失効日時を示す有効期限が設定されるようにしてもよい。また、センタサーバ４００から取得した認証情報に含まれる有効期間が設定されてもよい。有効期間を過ぎると、認証情報は失効する。認証情報は、例えば、認証情報テーブルに格納された認証情報を削除することにより失効させることができる。この場合、受取人端末２００において、所定のアプリから車両１０を解錠するための操作をしたときに、認証情報テーブルに対応する認証情報が存在しなければ解錠操作を無効とすればよい。
【００７７】
＜センタサーバの機能構成＞
図７は、センタサーバの機能構成を例示する図である。センタサーバ４００は、機能構成要素として、認証情報管理部Ｆ２１、ユーザ情報データベースＤ２１、認証情報データベースＤ２２を備える。センタサーバ４００のプロセッサ４０１は、コンピュータプログラムにより、認証情報管理部Ｆ２１、ユーザ情報データベースＤ２１、認証情報データベースＤ２２の処理を実行する。ただし、各機能構成要素のいずれか、又はその処理の一部がハードウェア回路により実行されてもよい。
【００７８】
なお、センタサーバ４００の各機能構成素のいずれか、又はその処理の一部は、受渡管理サーバ４１０又は、ネットワークＮ１に接続される他のコンピュータにより実行されてもよい。
【００７９】
認証情報管理部Ｆ２１は、受渡管理サーバ４１０から、認証情報の送信要求を受付ける。認証情報管理部Ｆ２１は、認証情報の送信要求とともに、認証情報の送信先である受取人端末２００の情報や、施解錠の対象である車両１０のキーユニット１００に対応づけられた受渡人の識別情報を受信する。認証情報管理部Ｆ２１は、キーユニット１００に対応する認証情報（端末認証情報）を、受取人端末２００に送信する。認証情報管理部Ｆ２１は、有効期間の情報を含む認証情報を生成してもよい。車載装置１０Ａのキーユニット１００は、有効期間の情報を含む認証情報を受信し、有効期間を経過している場合には、認証情報が失効したものとして、車両１０の施解錠を実行しないようにすることができる。認証情報は、受渡管理サーバ４１０に送信され、受渡管理サーバ４１０から受取人端末２００に配信されてもよい。
【００８０】
ユーザ情報データベースＤ２１は、受渡人の識別情報、対応するパスワード、受渡人に対応づけられた車両１０の認証情報等を格納する。また、認証情報データベースＤ２２は
、車両１０の認証情報を格納する。車両１０の認証情報は、車両１０の識別情報（キーＩＤ）に対応づけられた情報であり、例えば、車載装置１０Ａが有するキーユニット１００に固有の識別情報とすることができる。
【００８１】
認証情報データベースＤ２２は、車両１０の認証情報の他、認証情報の有効期間、認証情報の失効有無等の情報を格納してもよい。認証情報の有効期間は、認証情報とともに受渡管理サーバ４１０又は受取人端末２００に送信されてもよい。受渡管理サーバ４１０又は受取人端末２００は、認証情報の有効期間を受信すると、有効期間を経過した認証情報を削除して失効させることができる。また、認証情報の失効有無は、認証情報が、受取人端末２００に送信されて有効な状態であるか、有効期間を経過して失効中であるかの状態を管理する。認証情報管理部Ｆ２１は、認証情報が受取人端末２００に送信されて有効な状態である場合には、認証情報を発行しないようにすることで、認証情報を二重に発行することを回避することができる。
【００８２】
＜受渡人端末の機能構成＞
図８は、受渡人端末の機能構成を例示する図である。受渡人端末２１０は、機能構成要素として、受渡物品情報登録部Ｆ３１、受渡し状況管理部Ｆ３２を備える。受渡人端末２１０のプロセッサ２１１は、主記憶部２１２上のコンピュータプログラムにより、受渡物品情報登録部Ｆ３１、受渡し状況管理部Ｆ３２の処理を実行する。ただし、各機能構成要素のいずれか、又はその処理の一部がハードウェア回路により実行されてもよい。
【００８３】
受渡物品情報登録部Ｆ３１は、受渡人が貸出し又は譲渡しようとする物品の情報の入力を受付け、入力された情報を受渡管理サーバ４１０に送信する。受渡人は、図９に例示する画面から、物品を登録することができる。
【００８４】
図９は、受渡物品情報登録画面を例示する図である。受渡物品情報登録画面ＳＣ１は、受渡人が、貸出し又は譲渡対象の物品を登録するための画面であり、トランクシェアシステム１によるサービスを利用するための所定のアプリによって提供される。受渡物品情報登録画面ＳＣ１には、受渡人情報ＳＣ１１（ＩＤ、氏名）、車両番号ＳＣ１２、車種ＳＣ１３、色ＳＣ１４、位置情報ＳＣ１５、物品ＳＣ１６、利用形態ＳＣ１７、金額ＳＣ１８、利用期限ＳＣ１９の欄、及び「登録」のラベルが付された登録ボタンＳＣ２０が示される。
【００８５】
受渡人情報ＳＣ１１（ＩＤ、氏名）は、受渡人の情報を表示するための欄である。受渡人の情報は、所定のアプリによって事前に登録される。車両番号ＳＣ１２は、車両１０の車両番号を入力するための欄である。車種ＳＣ１３及び色ＳＣ１４は、車両１０の車種及び色を選択するための欄である。車両１０の車両番号、車種及び色は、受取人が物品を受け取る車両１０を特定するための情報であって、受取人端末２００に送信されることで受取人に提供される。位置情報ＳＣ１５は、車両１０の位置情報を入力するための欄である。受渡人は、車両１０が停車されている住所等の情報を位置情報として入力することができる。なお、車両番号ＳＣ１２、車種ＳＣ１３、色ＳＣ１４、位置情報ＳＣ１５等の車両１０を特定するための情報は、受渡人の情報とともに、事前に登録されるようにしてもよい。また、これらの車両１０を特定するための情報は、センタサーバ４００において受渡人の識別情報（受渡人ＩＤ）と対応付けてユーザ情報データベースＤ２１に予め登録しておいてもよい。この場合、受渡人は、受渡物品情報登録画面ＳＣ１において受渡人ＩＤを入力することで、車両１０を特定するための情報を、センタサーバ４００から受取人に通知させることが可能となる。
【００８６】
物品ＳＣ１６は、貸出し又は譲渡対象の物品の名称を入力するための欄である。利用形態ＳＣ１７は、貸出し用であるか譲渡用であるかの物品の利用形態を選択するための欄で
ある。金額ＳＣ１８は、物品の貸出し又は譲渡による利用代金の金額を入力するための欄である。利用期限ＳＣ１９は、受渡人が受取人に対して物品の貸出し可能な期限を入力するための欄である。利用形態ＳＣ１７で譲渡が選択された場合、利用期限ＳＣ１９は、受渡物品情報登録画面ＳＣ１に表示されないようにしてもよく、物品の使用期限、食品の場合は賞味期限等を入力する欄としてもよい。登録ボタンＳＣ２０は、受渡物品情報登録画面ＳＣ１で選択又は入力された情報を、受渡物品情報として、受渡管理サーバ４１０に送信するための操作ボタンである。受渡管理サーバ４１０は、受信した受渡物品情報を、受渡物品情報データベースＤ１１に格納する。
【００８７】
図８の受渡し状況管理部Ｆ３２は、受渡物品情報登録画面ＳＣ１から登録した物品に対する利用の申込み状況、実際の利用状況、課金に対する支払状況等の受渡し状況の情報を受渡管理サーバ４１０から取得し、受渡人に提示する。受渡し状況管理部Ｆ３２は、受渡し状況の情報を、受渡人宛ての電子メール等によって受信するようにしてもよい。
【００８８】
＜受取人端末の機能構成＞
図１０は、受取人端末の機能構成を例示する図である。受取人端末２００は、機能構成要素として、受取り要求部Ｆ４１、受取人情報登録部Ｆ４２、認証処理部Ｆ４３を備える。受取人端末２００のプロセッサ２０１は、主記憶部２０２のコンピュータプログラムにより、受取り要求部Ｆ４１、受取人情報登録部Ｆ４２、認証処理部Ｆ４３の処理を実行する。ただし、各機能構成要素のいずれか、又はその処理の一部がハードウェア回路により実行されてもよい。
【００８９】
受取り要求部Ｆ４１は、受渡人端末２１０から登録された貸出し又は譲渡対象の物品の情報を、受渡管理サーバ４１０から取得し、図１１に例示する物品リストとして、受取人端末２００に表示する。受取人は、物品リストから利用したい物品を選択し、図１２に例示する利用登録画面から、利用の申込みをする。受取り要求部Ｆ４１は、受取人が利用登録画面に入力した情報に基づいて、受渡管理サーバ４１０に物品の受取り要求をする。
【００９０】
図１１は、貸出し又は譲渡対象の物品を一覧表示する物品リスト画面を例示する図である。物品リスト画面ＳＣ３は、受取人が利用を希望する物品を選択するための画面であり、所定のアプリによって提供される。物品リスト画面ＳＣ３には、受取人情報ＳＣ３１（ＩＤ、氏名）、物品リストＳＣ３２、及び「利用する」のラベルが付された利用登録ボタンＳＣ３３が示される。
【００９１】
受取人情報ＳＣ３１（ＩＤ、氏名）は、受取人の情報を表示するための欄である。受取人の情報は、所定のアプリによって事前に登録される。物品リストＳＣ３２は、貸出し又は譲渡対象の物品を一覧表示するための欄である。物品リストＳＣ３２は、選択、物品、貸出場所、金額、利用期限のフィールドを有する。選択は、受取人が利用を希望する物品を選択するためのチェックボックスである。チェックされた物品に対して、図１２に例示する利用登録画面において物品の利用登録が実行される。物品は、受取人が利用を希望する物品の名称である。貸出場所は、受取人が利用を希望する物品が収納される車両１０の位置情報である。金額は、物品の利用代金の金額である。利用期限は、物品の貸出し可能な期限である。利用期限は、物品が譲渡対象の場合には、物品の使用期限等が表示されても良く、空欄であってもよい。利用登録ボタンＳＣ３３は、物品リストＳＣ３２で選択された物品に対して、受取り登録を実行する利用登録画面に遷移するための操作ボタンである。利用登録ボタンＳＣ３３が押下されると、受取人端末２００の画面は、利用登録画面に遷移する。
【００９２】
図１２は、利用登録画面を例示する図である。利用登録画面ＳＣ５は、受取人が利用を希望する物品の受取登録を実行するための画面であり、所定のアプリによって提供される
。利用登録画面ＳＣ５には、受取人情報ＳＣ５１（ＩＤ、氏名）、受取物品情報（受取物品、利用金額）ＳＣ５２、連絡先ＳＣ５３、利用期間ＳＣ５４、支払方法ＳＣ５５、及び「登録」のラベルが付された受取登録ボタンＳＣ５６が示される。
【００９３】
受取人情報ＳＣ５１（ＩＤ、氏名）は、図１１の受取人情報ＳＣ３１と同様であるため、説明を省略する。受取物品情報（受取物品、利用代金）ＳＣ５２は、受取人が図１１の物品リストＳＣ３２で選択した物品の名称、選択した物品の利用代金等の物品情報を表示するための欄である。受取物品情報ＳＣ５２は、図１１の例では、利用を希望する複数物品の名称（“浮き輪”及び“パラソル”）及び複数物品の利用代金の合計金額を表示しているが、物品ごとに利用代金を表示してもよく、また、利用期限等の他の物品情報を表示するようにしてもよい。
【００９４】
連絡先ＳＣ５３は、受取人の連絡先を入力するための欄である。連絡先ＳＣ５３は、例えば、受取人の携帯番号又は電子メールアドレス等である。利用期間ＳＣ５４は、受取人が物品リストＳＣ３２で選択した物品の利用を希望する期間である。受取人は、当該物品が譲渡用の物品である場合には、利用期間ＳＣ５４の欄には入力しなくてもよい。利用期間ＳＣ５４の欄は、物品リストＳＣ３２に表示される利用期限内の日付の入力を受付けるようにしてもよい。支払方法ＳＣ５５は、受取人が利用代金を支払う際の支払方法を選択するための欄である。受取登録ボタンＳＣ５６は、受取人が受取り登録を実行するための操作ボタンである。受取登録ボタンＳＣ５６が押下されると、受取り要求部Ｆ４１は、利用登録画面ＳＣ５に入力された受取り要求の情報を受渡管理サーバ４１０に送信する。受渡管理サーバ４１０は、受信した受取り要求の情報を、受取り要求データベースＤ１２に格納する。
【００９５】
図１０の受取人情報登録部Ｆ４２は、受取人が物品の利用を申し込む前に、事前に受取人の情報の登録を受付ける。受取人の情報は、受取人の氏名の他、連絡先又は支払方法等の情報を含んでも良い。受取人は、事前に各種情報を登録することで、物品の利用を申し込む際に受取人に関する情報の入力を省略することができるため、物品の受取登録の手続きにおける利便性が向上する。
【００９６】
認証処理部Ｆ４３は、受取人が受取登録をした物品を受取る場合に、受渡し場所に指定された車両１０のキーユニット１００から認証を受けるための認証情報を受信する。また、認証処理部Ｆ４３は、受取人が受信した認証情報によって、物品の受渡し場所に指定された車両１０の解錠又は施錠を実行するためのインターフェースを提供する。受取人は、例えば、図１３に例示する認証処理画面ＳＣ７での操作により、物品の受渡し場所である車両１０の解錠を実行することができる。認証処理部Ｆ４３は、車両１０の解錠を実行するための画面の他、車両１０の施錠を実行したり、失効した認証情報の再送信を要求したりするための画面を提供するようにしてもよい。
【００９７】
図１３は、認証処理画面を例示する図である。図１３に例示する認証処理画面ＳＣ７は、物品の受渡し場所である車両１０の解錠を実行するための画面である。認証処理画面ＳＣ７には、受取人情報ＳＣ７１（ＩＤ、氏名）、受取物品情報（受取物品、利用金額、利用期間）ＳＣ７２、「はい」のラベルが付された解錠ボタンＳＣ７３、及び「いいえ」のラベルが付されたキャンセルボタンＳＣ７４が示される。
【００９８】
受取人情報ＳＣ７１（ＩＤ、氏名）は、図１１の受取人情報ＳＣ３１と同様であるため、説明を省略する。受取物品情報（受取物品、利用代金、利用期間）ＳＣ７２は、受取人が図１１の物品リストＳＣ３２で選択した物品の名称、選択した物品の利用代金、利用期間等の物品情報を表示するための欄である。解錠ボタンＳＣ７３は、物品の受渡し場所である車両１０を解錠するための操作ボタンである。解錠ボタンＳＣ７３が押下されると、
キーユニット１００の近距離通信部１０３は、受取人端末２００から認証情報を受信する。キーユニット１００の認証部１０４２は、受信した認証情報を、記憶部１０４１に格納されている認証情報と照合することにより認証処理を実行する。認証が成功すると、キーユニット１００の認証部１０４２は、施解錠装置３００に対し、認証情報と対応付けられた車両を識別する識別情報（キーＩＤ）とともに解錠信号を送信し、キーＩＤの認証が成功すると、車両１０が解錠される。
【００９９】
＜処理の流れ＞
図１４は、実施形態に係るトランクシェアシステムの動作の流れを例示する図である。図１４は、トランクシェアシステム１において、受渡人から受取人に物品を受渡す場合の各構成要素間の動作の流れ、及び各構成要素が実行する処理を説明する。図１４は、受取人が物品を受取った後、認証情報が失効し、物品の返却時に、受取人が再度認証情報を受信する例を説明する。
【０１００】
受渡人は、まず、受渡人の氏名、連絡先等の情報を、受渡人端末２１０に入力し、トランクシェアシステム１に対する利用登録をする。受渡人端末２１０に入力された受渡人に関する情報は、受渡管理サーバ４１０に送信される（Ｓ１０）。受渡管理サーバ４１０は、受信した受渡人に関する情報を受渡物品情報データベースＤ１１に登録する（Ｓ１１）。
【０１０１】
次に、受渡人は、貸出し又は譲渡対象の物品の情報、及び受渡しに使用される車両１０の情報を、受渡人端末２１０に入力して登録する。受渡人端末２１０に入力された物品の情報及び車両１０の情報は、受渡管理サーバ４１０に送信される（Ｓ１２）。受渡管理サーバ４１０は、受信した物品の情報及び車両１０の情報を受渡物品情報データベースＤ１１に登録する（Ｓ１３）。受渡管理サーバ４１０は、所定のアプリからアクセスされるウェブサイト上に、登録された物品情報に基づいて、物品リストを掲載する（Ｓ１４）。
【０１０２】
受取人は、受渡人と同様に、受取人の氏名、連絡先等の情報を、受取人端末２００に入力し、所定のアプリからトランクシェアシステム１に対する利用登録をする。受取人端末２００に入力された受取人に関する情報は、受渡管理サーバ４１０に送信される（Ｓ１５）。受渡管理サーバ４１０は、受信した受取人に関する情報を受取り要求データベースＤ１２に登録する（Ｓ１６）。
【０１０３】
受取人は、トランクシェアシステム１の利用登録が完了すると、Ｓ１４でウェブサイトに掲載された物品リストを参照し、利用を希望する物品の受取り要求（利用申込み）をする（Ｓ１７）。受取人は、例えば、図１２に示される利用登録画面ＳＣ５から受取り要求を実行することができる。
【０１０４】
受渡管理サーバ４１０は、受取人端末２００から物品の受取り要求を受信すると、センタサーバ４００に対し、受渡人の識別情報（受渡人ＩＤ）、及び認証情報の送信先となる受取人端末２００の連絡先等の情報を送信し、認証情報を受取人端末２００に送信することを要求する（Ｓ１８）。センタサーバ４００は、認証情報の送信要求を受信すると、受信した受渡人の識別情報に基づき、認証情報を発行する（Ｓ１９）。センタサーバ４００は、発行した認証情報を受取人端末２００に送信する（Ｓ２０）。
【０１０５】
受取人端末２００は、受取人端末２００に送信された認証情報を、受取り対象の物品が収容されている車両１０の車載装置１０Ａ（キーユニット１００）に送信し、解錠を要求する。認証情報による受取人端末２００の認証が成功すると、車両１０は解錠される（Ｓ２１）。
【０１０６】
受渡管理サーバ４１０は、受取人が解錠の操作を実行すると、受取人端末２００から、解錠の通知を受信する（Ｓ２２）。受渡管理サーバ４１０は、解錠の通知を受信した後、又は、認証情報の有効期間が経過した後、センタサーバ４００に対し、Ｓ２０で送信された認証情報の失効を要求する（Ｓ２３）。センタサーバ４００は、認証情報を失効させる（Ｓ２４）。受渡管理サーバ４１０又は受取人端末２００は、センタサーバ４００からの指示により、センタサーバ４００から受信した認証情報を削除することで認証情報を失効させることができる。センタサーバ４００は、認証情報の失効有無を管理することで、認証情報が二重に発行されないようにするための排他制御をしたり、認証情報を更新してキーユニット１００に更新後の認証情報を通知したりすることが可能となる。なお、Ｓ２４の処理は省略されてもよく、受渡管理サーバ４１０又は受取人端末２００は、受取人が解錠の操作を実行した後、認証情報を削除して失効させてもよい。なお、受取人が、物品を取り出した後、車両１０の施錠をしなかった場合、車載装置１０Ａは、解錠されてから所定時間経過後に車両１０を施錠するようにしてもよい。
【０１０７】
受渡管理サーバ４１０は、受取人によって登録された支払方法に応じて、受取人が受け取った物品の利用代金を課金する（Ｓ２５）。なお、課金処理は、Ｓ２１で車両１０が解錠された後であれば、任意のタイミングで実行されてもよい。
【０１０８】
受取人は、受取った物品を返却する場合、車両１０を解錠するための認証情報を取得するため、受取人端末２００から受渡管理サーバ４１０に対し、返却の申請をする（Ｓ２６）。受渡管理サーバ４１０は、受取人端末２００から返却の申請を受付けると、センタサーバ４００に対し、受渡人の識別情報（受渡人ＩＤ）、及び認証情報の送信先となる受取人端末２００の連絡先等の情報を送信し、認証情報を受取人端末２００に送信することを要求する（Ｓ２７）。なお、物品の返却先の車両１０は、受渡人によって指定され、他の受渡人ＩＤと対応付けられる別の車両１０であってもよい。この場合、受取人は、認証情報とともに、返却先の車両１０の車両番号、車種、色等の情報を受取人端末２００で受信することで、返却先の車両１０を特定することが可能である。センタサーバ４００は、認証情報の送信要求を受信すると、受渡管理サーバ４１０から受信した受渡人の識別情報に基づき、認証情報を発行する（Ｓ２８）。センタサーバ４００は、発行した認証情報を受取人端末２００に送信する（Ｓ２９）。
【０１０９】
受取人端末２００は、受取人端末２００に送信された認証情報を使用して、物品の返却先の車両１０の車載装置１０Ａに送信し、解錠を要求する。認証情報による受取人端末２００の認証が成功すると、車両１０は解錠される。受取人端末２００は、物品が返却された後、車載装置１０Ａに認証情報を送信し、施錠を要求する。認証情報による受取人端末２００の認証が成功すると、車両１０は施錠される（Ｓ３０）。
【０１１０】
受渡管理サーバ４１０は、受取人が施錠の操作を実行すると、受取人端末２００から、施錠の通知を受信する（Ｓ３１）。受渡管理サーバ４１０は、施錠の通知を受信した後、又は、認証情報の有効期間が経過した後、センタサーバ４００に対し、Ｓ２９で送信された認証情報の失効を要求する（Ｓ３２）。センタサーバ４００は、認証情報を失効させる（Ｓ３３）。認証情報の失効処理は、Ｓ２４の処理と同様である。なお、受取人が、物品を返却した後、車両１０の施錠をしなかった場合、車載装置１０Ａは、解錠されてから所定時間経過後に車両１０を施錠し、受渡管理サーバ４１０に施錠したことを通知するようにしてもよい。
【０１１１】
図１５は、受渡管理サーバの物品受渡し処理の流れを例示するフローチャートである。この処理の流れは、例えば、受渡人が受渡人端末２１０からトランクシェアシステム１に対する利用登録をしたことを契機に開始する。
【０１１２】
まず、ＯＰ１０では、受渡物品情報取得部Ｆ１１は、受渡人に関する情報の登録を受付ける。受渡物品情報取得部Ｆ１１は、受渡人端末２１０から受渡人に関する情報を受信し、受渡人を識別する情報（受渡人ＩＤ）と対応づけて受渡物品情報データベースＤ１１の受渡物品情報テーブルに登録する。
【０１１３】
ＯＰ１１では、受渡物品情報取得部Ｆ１１は、貸出し又は譲渡対象の物品の登録を受付ける。受渡物品情報取得部Ｆ１１は、受渡人端末２１０から物品の情報及び物品を収容する車両１０の情報を受信し、物品を識別する情報（物品ＩＤ）及び受渡人ＩＤと対応づけて受渡物品情報データベースＤ１１の受渡物品情報テーブルに格納する。
【０１１４】
ＯＰ１２では、受渡物品情報提供部Ｆ１２は、ＯＰ１１で登録を受付けた物品の情報を物品リストに掲載する。また、受渡物品情報提供部Ｆ１２は、物品の追加登録、更新、削除の要求を受渡人端末２１０から受付けた場合には、要求に応じて物品リストを更新する。
【０１１５】
ＯＰ１３では、受取人情報取得部Ｆ１４は、受取人に関する情報の登録を受付ける。受渡物品情報取得部Ｆ１１は、受取人端末２００から受取人に関する情報を受信し、受取人を識別する情報（受取人ＩＤ）と対応づけて受取り要求データベースＤ１２の受取り要求テーブルに格納する。
【０１１６】
ＯＰ１４では、受取り要求受付部Ｆ１３は、受取人端末２００から受取り要求（利用申込み）を受付ける。受取り要求受付部Ｆ１３は、受取人端末２００から受取人が利用又は購入を希望する物品の情報を受信し、受取人ＩＤと対応づけて受取り要求データベースＤ１２の受取り要求テーブルに登録する。
【０１１７】
ＯＰ１５では、認証情報発行部Ｆ１５は、センタサーバ４００に対し、受取人端末２００への認証情報の送信を要求する。受取り要求受付部Ｆ１３は、認証情報の送信要求とともに、受取り要求があった物品を収容する車両１０の認証情報と対応付けられた受渡人の識別情報（受渡人ＩＤ）をセンタサーバ４００に送信する。センタサーバ４００は、受渡人ＩＤを受信することで、当該受渡人ＩＤに対応付けられた認証情報を発行し、受取人端末２００又は受渡管理サーバ４１０に送信することができる。認証情報発行部Ｆ１５は、認証情報をセンタサーバ４００から受信し、受信した認証情報を当、受取人端末２００に送信するようにしてもよい。
【０１１８】
ＯＰ１６では、認証情報発行部Ｆ１５は、受取り対象の物品が収容された車両１０が解錠されると、車載装置１０Ａ又は受取人端末２００から、車両１０が解錠されたことの通知を受信する。
【０１１９】
ＯＰ１７では、認証情報発行部Ｆ１５は、認証情報の有効期間が経過した後、センタサーバ４００に認証情報の失効を要求する。認証情報発行部Ｆ１５は、車載装置１０Ａ又は受取人端末２００から、車両１０が解錠されたことの通知を受信した場合に、認証情報の失効を要求するようにしてもよい。認証情報の失効については、図１４のＳ２４の処理と同様である。車載装置１０Ａは、受取人端末２００から施錠の信号を受け取らない場合、解錠から所定時間経過後に施錠されるようにしてもよい。
【０１２０】
ＯＰ１８では、課金管理部Ｆ１６は、受取人が受け取った物品の利用代金を、受取人に対して課金する。課金管理部Ｆ１６は、ＯＰ１３で登録された受取人情報に含まれる支払方法に基づいて、課金処理を実行することができる。
【０１２１】
ＯＰ１９では、受取り要求受付部Ｆ１３は、受取人が受け取った物品の利用形態が、貸
出しであるか譲渡であるかを判定する。物品の利用形態が貸出しである場合（ＯＰ１９：Ｙｅｓ）、処理はＯＰ２０へ進む。物品の利用形態が譲渡である場合（ＯＰ１９：Ｎｏ）、図１５に示される物品受渡し処理は終了する。
【０１２２】
ＯＰ２０では、受取り要求受付部Ｆ１３は、受取人端末２００から返却対象の物品ＩＤを受信し、物品の返却の申請を受付ける。受取り要求受付部Ｆ１３は、ＯＰ１４で受信した物品の情報に含まれる利用期間が経過したときに、物品の返却の申請を受付けたものとして処理を進めてもよい。
【０１２３】
ＯＰ２１の処理は、ＯＰ１５の処理と同様であるため、説明は省略される。ＯＰ２２では、認証情報発行部Ｆ１５は、受取人が車両１０を解錠して物品を返却し、車両１０が施錠されると、車載装置１０Ａ又は受取人端末２００から、車両１０が施錠されたことの通知を受信する。
【０１２４】
ＯＰ２３では、認証情報発行部Ｆ１５は、認証情報の有効期間が経過した後、センタサーバ４００に認証情報の失効を要求する。認証情報発行部Ｆ１５は、車載装置１０Ａ又は受取人端末２００から、車両１０が施錠されたことの通知を受信した場合に、認証情報の失効を要求するようにしてもよい。認証情報の失効については、図１４のＳ３３の処理と同様である。車載装置１０Ａは、受取人端末２００から施錠の信号を受け取らない場合、解錠から所定時間経過後に施錠されるようにしてもよい。ＯＰ２１で送信した認証情報が失効すると、図１５に示される物品受渡し処理は終了する。
【０１２５】
＜実施形態の変形例１＞
上記実施形態では、キーユニット１００において認証処理が成功した場合に、施解錠装置３００によって車両１０が解錠される例を説明したが、実施形態の変形例１では、施解錠装置３００において、キーユニット１００における処理が実行されるようにしてもよい。即ち、施解錠装置３００は、受取人端末２００から受信した認証情報を認証するための制御ユニット（ＥＣＵ）を備え、当該制御ユニットは、受取人端末２００認証が成功すると、ＣＡＮ等の車内ネットワークを介して、ボディＥＣＵ３０４に解錠指令又は施錠指令を送信するようにしてもよい。
【０１２６】
変形例１のトランクシェアシステム１によれば、キーユニット１００を設置することなく簡易な構成により、第三者である受取人に対する物品の受渡しが可能となる。
【０１２７】
＜実施形態の変形例２＞
上記実施形態では、受取人端末２００がセンタサーバ４００から認証情報を受信し、受信した認証情報に基づいて受取人端末２００が認証されると、キーユニット１００から施解錠信号が施解錠装置３００に送信され、車両１０は施解錠される。実施形態の変形例２では、認証情報は、受取人端末２００を認証するための情報ではなく、車両１０を解施錠するためのキーＩＤの情報を含むものとする例である。
【０１２８】
この場合、受取人端末２００は、車両１０を施解錠するためのキーＩＤを含む認証情報をセンタサーバ４００から受信し、受信したキーＩＤを施解錠信号とともに、施解錠装置３００に送信する。施解錠装置３００は、受信したキーＩＤを施解錠装置３００に予め記憶されたキーＩＤと照合し、一致した場合に車両１０を施解錠する。なお、キーＩＤは、受取人端末２００と、センタサーバ４００又は施解錠装置３００との間で、暗号化をして送受信される。センタサーバ４００の認証情報管理部Ｆ２１は、例えば、キーＩＤを時刻情報とともに所定のアルゴリズムで暗号化することで、ワンタイムキーを生成してもよい。施解錠装置３００は、受信したワンタイムキーを、センタサーバ４００と同じ所定のアルゴリズムによって復号し、施解錠装置３００に予め記憶されたキーＩＤと照合する。な
お、ワンタイムキーは、センタサーバ４００から受渡管理サーバ４１０に送信され、受渡管理サーバ４１０から受取人端末２００に送信されるようにしてもよい。
【０１２９】
キーＩＤ及び時刻情報から生成されるワンタームキーを認証情報に含めることで、センタサーバ４００は、受取り要求ごとに、一時的に有効な認証情報を生成し、受取人端末２００に送信することができる。
【０１３０】
＜実施形態の変形例３＞
上記実施形態及び変形例２では、センタサーバ４００は、受取人端末２００に、キーユニット１００に固有な固定の認証情報に対応する受取人端末２００用の認証情報、又は車両１０の施解錠装置３００に予め記憶されたキーＩＤを送信した。しかし、受取人端末２００とキーユニット１００との間の認証情報は、上記のものに限定されない。実施形態の変形例３では、例えば、センタサーバ４００は、受取人端末２００から物品の受取り要求を受付ける度に、新たな認証情報を生成し受取人端末２００に発行してもよい。この場合、センタサーバ４００は、受取人端末２００用の新たな認証情報に対応するキーユニット１００用の認証情報を、センタサーバ４００が接続されるネットワークＮ１と通信可能な車載通信装置（図示なし）を介して、キーユニット１００に格納するようにすればよい。この場合、キーユニット１００は、ＣＡＮ等を通じて車載通信装置に接続されればよい。ただし、センタサーバ４００は、新たな認証情報を、車両１０を識別する識別情報と時刻情報とによって生成し、新たな認証情報と時刻情報を受取人端末２００に引き渡しても良い。この場合、キーユニット１００もセンタサーバ４００と同一のアルゴリズムで新たな認証情報を、生成すればよい。受取人端末２００は、新たな認証情報と時刻情報をキーユニット１００に送信し、認証を受ければよい。
【０１３１】
＜その他＞
上記実施形態及び各変形例のトランクシェアシステム１において、車両１０の施解錠は、セキュリティを考慮して、荷室ドアのみ解錠／施錠制御が行われ、車室ドアの解錠／施錠制御は行われず、ロック状態に保持されるものとする。ただし、荷室と車室とが隔てられていないボディ構造を持つ車両１０、例えば、ワンボックスと俗称されるタイプの車両１０では、荷室ドアを解錠することで、車室へもアクセス可能になるため、受渡人等のユーザはセキュリティ上の懸念を抱く可能性がある。
【０１３２】
そこで、荷室と車室とが隔てられていない車両１０では、トランクシェアシステム１は、荷室ドアが開扉されたときに、室内も撮影可能なドライブレコーダー等を利用して室内の動画撮影を行い、撮影動画に基づいて荷室から車室への侵入の有無を判定する。トランクシェアシステム１は、荷室から車室への侵入が有ったと判定した場合には、撮影動画の保存、車載アラームの作動、業者へ通知、ユーザへ通知等を行う。一方、トランクシェアシステム１は、車室への侵入が無かったと判定した場合には、荷室ドアの閉扉及びロック動作が行われた時点で、撮影動画を消去してもよい。トランクシェアシステム１は、ユーザ・サービスの一環として、車室内への侵入の有無に関わらず、撮影動画を受渡人端末２１０に送信してもよい。
【０１３３】
また、上記実施形態及び各変形例において、物品の受渡し場所として車両１０を利用する例を示したが、トランクシェアシステム１は、車両以外の施設や建物を物品の受渡し場所として、認証情報を送信及び失効させる例に適用されてもよい。
【０１３４】
＜作用効果＞
本実施形態に係るトランクシェアシステム１は、観光地や各種施設に隣接する駐車場等において、各種物品の提供及び利用サービスを実現することができる。トランクシェアシステム１は、受渡人から受渡しを希望する物品の受渡物品情報を取得し、物品の利用を希
望する受取人から受取人情報を取得することにより、受取人端末２００に利用する物品が収容された車両１０の認証情報を送信する。受取人は、受取人端末２００で受信した認証情報を使用して、利用する物品が収容された車両１０を解錠し、利用対象物品を受取ることができるため、受取人の利便性は向上する。
【０１３５】
また、トランクシェアシステム１は、受渡人から取得した物品の受渡物品情報をウェブサイトに物品一覧として掲載することで、受取人は、物品リストで受取り場所、利用期限等の条件を参照し、所望の物品を選択して利用することができる。
【０１３６】
また、トランクシェアシステム１は、物品を受取る受取人の情報を取得し、物品の受取り要求を受付けることで、受取人情報に基づいて、受取人端末２００に対し、受渡し場所である車両の認証情報を送信することができる。
【０１３７】
また、トランクシェアシステム１は、認証情報に有効期間の情報を含めることで、物品の利用形態に応じて、有効期間が設定された認証情報を発行することができ、セキュリティ面での安全性の向上を図ることができる。
【０１３８】
また、トランクシェアシステム１は、車両１０が解錠又は施錠されたとの通知を受けた場合に、認証情報を失効させることで、受取人が物品を取り出したり、返却したりした後、適時に認証情報を失効させることができ、セキュリティ面での安全性の向上を図ることができる。
【０１３９】
また、トランクシェアシステム１は、受取人が貸出し又は譲渡対象の物品を収容する車両１０を解錠すると、受取人に対する課金処理が実行することで、課金処理の簡便化を図ることができる。
【０１４０】
＜記録媒体＞
コンピュータその他の機械、装置（以下、コンピュータ等）に上記いずれかの機能を実現させるプログラムをコンピュータ等が読み取り可能な記録媒体に記録することができる。コンピュータ等に、この記録媒体のプログラムを読み込ませて実行させることにより、その機能を提供させることができる。
【０１４１】
ここで、コンピュータ等が読み取り可能な記録媒体とは、データやプログラム等の情報を電気的、磁気的、光学的、機械的、又は化学的作用によって蓄積し、コンピュータ等から読み取ることができる非一時的な記録媒体をいう。このような記録媒体のうちコンピュータ等から取り外し可能なものとしては、例えばフレキシブルディスク、光磁気ディスク、ＣＤ−ＲＯＭ、ＣＤ−Ｒ／Ｗ、ＤＶＤ、ブルーレイディスク、ＤＡＴ、８ｍｍテープ、フラッシュメモリなどのメモリカード等がある。また、コンピュータ等に固定された記録媒体としてハードディスク、ＲＯＭ等がある。さらに、ＳＳＤ（Solid State Drive）は
、コンピュータ等から取り外し可能な記録媒体としても、コンピュータ等に固定された記録媒体としても利用可能である。
【符号の説明】
【０１４２】
１・・トランクシェアシステム：１０・・車両：１０Ａ・・車載装置：２００・・受取人端末：２１０・・受渡人端末：１００・・キーユニット：３００・・施解錠装置：４００・・センタサーバ：４１０・・受渡管理サーバ：２０１，２１１，４０１，４１１・・プロセッサ：２０２，２１２，４０２，４１２・・主記憶部：２０３，２１３，４０３，４１３・・補助記憶部：２０４，２１４・・表示部：２０５，２１５・・入力部：２０６Ａ，２０６Ｂ，２１６Ａ，２１６Ｂ，４０４，４１４・・通信部：２０６Ｃ，２１６Ｃ・・近距離通信部：Ｎ１，Ｎ２・・ネットワーク
【図１】
2019121123.tif 000003
【図２】
2019121123.tif 000004
【図３】
2019121123.tif 000005
【図４】
2019121123.tif 000006
【図５】
2019121123.tif 000007
【図６】
2019121123.tif 000008
【図７】
2019121123.tif 000009
【図８】
2019121123.tif 000010
【図９】
2019121123.tif 000011
【図１０】
2019121123.tif 000012
【図１１】
2019121123.tif 000013
【図１２】
2019121123.tif 000014
【図１３】
2019121123.tif 000015
【図１４】
2019121123.tif 000016
【図１５】
2019121123.tif 000017